(57)【要約】（課題）精度良く焼きつきによる問題を緩和することができる技術を提供すること。【解決手段】本技術に係る画像表示制御装置は、制御部を具備する。前記制御部は、前記画面上の特定の領域に固定的に表示される画像の輝度を反転せずに、前記画像の輝度を低減する第１のモードと、前記画像の輝度を反転し、反転された前記画像の輝度を低減する第２のモードとを切り換え、かつ、切り換えられたモードに応じて、前記画面上の前記領域に前記画像を表示させるように表示を制御する。（選択図）図６
2014203438.tif 000002
【特許請求の範囲】
【請求項１】
画面上の特定の領域に固定的に表示される画像の輝度を反転せずに、前記画像の輝度を低減する第１のモードと、前記画像の輝度を反転し、反転された前記画像の輝度を低減する第２のモードとを切り換え、かつ、切り換えられたモードに応じて、前記画面上の前記領域に前記画像を表示させるように表示を制御する制御部
を具備する画像表示制御装置。
【請求項２】
請求項１に記載の画像表示制御装置であって、
前記制御部は、前記第１のモードにおいて相対的に高い輝度で表示され、前記第２のモードにおいて相対的に低い輝度で表示される、前記領域内の第１の部分についての第１の劣化度と、前記第１のモードにおいて相対的に低い輝度で表示され、前記第２のモードにおいて相対的に高い輝度で表示される、前記領域内の第２の部分についての第２の劣化度とを測定し、測定された前記第１の劣化度及び前記第２の劣化度に基づいて、前記第１のモード及び前記第２のモードを切り換える
画像表示制御装置。
【請求項３】
請求項２に記載の画像表示制御装置であって、
前記制御部は、前記第１の劣化度と、前記第２の劣化度との差を算出し、前記差が所定の閾値を超えたときに、前記第１のモード及び前記第２のモードを切り換え可能な状態とする
画像表示制御装置。
【請求項４】
請求項２に記載の画像表示制御装置であって、
前記制御部は、輝度が高いほど高い値を取る値である劣化係数に基づいて前記第１の劣化度及び前記第２の劣化度を測定する
画像表示制御装置。
【請求項５】
請求項１に記載の画像表示制御装置であって、
前記制御部は、前記画像表示制御装置の起動時に、前記第１のモード及び前記第２のモードのうち、どちらのモードを実行するかを決定することによって、前記第１のモード及び前記第２のモードを切り換える
画像表示制御装置。
【請求項６】
請求項５に記載の画像表示制御装置であって、
前記制御部は、前記画像表示制御装置の起動時において決定されたモードを、次の起動時まで継続して実行する
画像表示制御装置。
【請求項７】
請求項１に記載の画像表示制御装置であって、
前記制御部は、前記画像が固定的に表示される領域以外の領域に診断用の画像を表示させる
画像表示制御装置。
【請求項８】
請求項７に記載の画像表示制御装置であって、
前記制御部は、前記画面上の特定の領域に固定的に表示される、輝度が低減される画像を、前記診断用の画像の周囲の領域に表示させる
画像表示制御装置。
【請求項９】
請求項１に記載の画像表示制御装置であって、
前記制御部は、前記画面上に全体的に表示される画像を解析することによって、第１のモードと、第２のモードとで輝度が反転される、前記画面上の特定の領域に固定的に表示される画像の領域を判定する
画像表示制御装置。
【請求項１０】
請求項１に記載の画像表示制御装置であって、
前記制御部は、複数の前記画面上で実行される各モードが同じモードとなるように、前記複数の画面上において、それぞれ、前記第１のモードと前記第２のモードとを切り換える
画像表示制御装置。
【請求項１１】
請求項１０に記載の画像表示制御装置であって、
前記制御部は、前記複数の画面において、それぞれ、前記領域における劣化度を測定し、測定された各劣化度に基づいて、前記劣化度が最大である画面を判定し、前記劣化度が最大である画面でのモードの切り換えに合わせるように、他の画面のモードを切り換える
画像表示制御装置。
【請求項１２】
請求項１０に記載の画像表示制御装置であって、
前記制御部は、前記複数の画面上で実行される各モードでの輝度の低減のレベルが同じレベルとなるように、低減レベルを設定する
画像表示制御装置。
【請求項１３】
表示部と、
前記表示部の特定の領域に固定的に表示される画像の輝度を反転せずに、前記画像の輝度を低減する第１のモードと、前記画像の輝度を反転し、反転された前記画像の輝度を低減する第２のモードとを切り換える制御部と
を具備する画像表示システム。
【請求項１４】
請求項１３に記載の画像表示システムであって、
前記表示部は、複数であり、
前記制御部は、複数の表示部で実行される各モードが同じモードとなるように、前記複数の表示部において、それぞれ、前記第１のモードと前記第２のモードとを切り換える
画像表示システム。
【請求項１５】
画面上の特定の領域に固定的に表示される画像の輝度を反転せずに、前記画像の輝度を低減する第１のモードと、前記画像の輝度を反転し、反転された前記画像の輝度を低減する第２のモードとを切り換え、
切り換えられたモードに応じて、前記画面上の前記領域に前記画像を表示させるように表示を制御する
画像表示制御方法。
【請求項１６】
画像表示制御装置に、
画面上の特定の領域に固定的に表示される画像の輝度を反転せずに、前記画像の輝度を低減する第１のモードと、前記画像の輝度を反転し、反転された前記画像の輝度を低減する第２のモードとを切り換えるステップと、
切り換えられたモードに応じて、前記画面上の前記領域に前記画像を表示させるように表示を制御するステップと
を実行させるプログラム。
【発明の詳細な説明】
【技術分野】
【０００１】
本技術は、ディスプレイ上に固定的に表示される画像の輝度を調整する画像表示制御装置等の技術に関する。
【背景技術】
【０００２】
従来から、画像を表示するディスプレイとして、液晶ディスプレイや、有機ＥＬディスプレイ（ＥＬ：Electro-Luminescence）等のディスプレイが広く知られている。【０００３】
有機ＥＬディスプレイは、自発光型の発光素子がマトリクス状に配置されて構成される。有機ＥＬディスプレイは、バックライトを必要とする液晶ディスプレイに比べて、薄型化が容易であるといった特長を有しており、また、高いコントラストを実現可能であるといった特長を有している。【０００４】
有機ＥＬディスプレイは、高いコントラストを実現可能であるため、暗い画像であっても正確にその画像を表現することができる。このため、有機ＥＬディスプレイは、例えば、Ｘ線画像、ＣＴ画像（ＣＴ：Computed Tomography）、ＭＲＩ画像（ＭＲＩ：Magnetic Resonance Imaging）等の画像を表示するディスプレイとして用いられる場合がある。すなわち、有機ＥＬディスプレイは、画像診断に用いられるディスプレイとして用いられる場合がある。【０００５】
有機ＥＬディスプレイを構成する各発光素子は、発光に伴って経時的に劣化するといった特性を有している。このため、画面上に同じ画像を長時間表示し続けると、相対的に高い輝度で発光している発光素子は、相対的に低い輝度で発光している発光素子に比べて、劣化の進行速度が速まってしまう。これにより、各発光素子において劣化の進行速度にバラつきが生じてしまい、画面上で同じ輝度で表示を行おうとしても、同じ輝度で表示を行うことができないといった問題がある。つまり、画面上で同じ輝度で表示を行おうとしたときに、劣化のバラつきに応じて、文字や記号などが浮かび上がって見えてしまうといった問題がある。この現象は、一般的に、「焼きつき」と呼ばれる。【０００６】
このような問題に関連する技術として、下記特許文献１が開示されている。
【先行技術文献】
【特許文献】
【０００７】
【特許文献１】特開２０００−２２１９０８号公報
【発明の概要】
【発明が解決しようとする課題】
【０００８】
焼きつきは、ユーザの視認性を悪化させてしまうため、このような焼きつきの問題をさらに精度良く緩和することができる技術が望まれている。【０００９】
以上のような事情に鑑み、本技術の目的は、精度良く焼きつきによる問題を緩和することができる技術を提供することにある。
【課題を解決するための手段】
【００１０】
本技術に係る画像表示制御装置は、制御部を具備する。
前記制御部は、前記画面上の特定の領域に固定的に表示される画像の輝度を反転せずに、前記画像の輝度を低減する第１のモードと、前記画像の輝度を反転し、反転された前記画像の輝度を低減する第２のモードとを切り換え、かつ、切り換えられたモードに応じて、前記画面上の前記領域に前記画像を表示させるように表示を制御する。【００１１】
本技術では、第１のモードと第２のモードとでは、画面上の特定の領域に固定的に表示される画像の輝度が反転される。これにより、相対的に高い輝度で表示される部分と、相対的に低い輝度で表示される部分とを第１のモード及び第２のモードで反転することができる。従って、画像が固定的に表示される領域内における発光素子の劣化の進行速度を均一化することができるため、例えば、焼きつきによる問題を緩和することができる。【００１２】
さらに、本技術では、第１のモード及び第２のモードの両方のモードにおいて、画面上の特定の領域に固定的に表示される画像の輝度が低減される。これにより、相対的に高い輝度で表示される部分と、相対的に低い輝度で表示される部分との間で劣化の進行速度の差を小さくすることができる。従って、更に精度良く例えば焼きつきによる問題を緩和することができる。【００１３】
上記画像表示制御装置において、前記制御部は、前記第１のモードにおいて相対的に高い輝度で表示され、前記第２のモードにおいて相対的に低い輝度で表示される、前記領域内の第１の部分についての第１の劣化度と、前記第１のモードにおいて相対的に低い輝度で表示され、前記第２のモードにおいて相対的に高い輝度で表示される、前記領域内の第２の部分についての第２の劣化度とを測定し、測定された前記第１の劣化度及び前記第２の劣化度に基づいて、前記第１のモード及び前記第２のモードを切り換えてもよい。【００１４】
このように、第１の劣化度と、第２の劣化度に基づいて、第１のモードと第２のモードとを反転させることで、適切なタイミングで第１のモードと第２のモードを切り換えることができる。【００１５】
上記画像表示制御装置において、前記制御部は、前記第１の劣化度と、前記第２の劣化度との差を算出し、前記差が所定の閾値を超えたときに、前記第１のモード及び前記第２のモードを切り換え可能な状態としてもよい。【００１６】
この閾値は、モードを反転する周期を決定するパラメータである。つまり、閾値が小さければモードが反転される周期は短くなり、一方で閾値が大きければモードが反転される周期は長くなる。【００１７】
上記画像表示制御装置において、前記制御部は、輝度が高いほど高い値を取る値である劣化係数に基づいて前記第１の劣化度及び前記第２の劣化度を測定してもよい。【００１８】
このような劣化係数を用いることで、第１の劣化度及び第２の劣化度を適切に測定することができる。【００１９】
上記画像表示制御装置において、前記制御部は、前記画像表示制御装置の起動時に、前記第１のモード及び前記第２のモードのうち、どちらのモードを実行するかを決定することによって、前記第１のモード及び前記第２のモードを切り換えてもよい。【００２０】
これにより、ユーザに違和感を与えない適切なタイミングで第１のモード及び第２のモードを切り換えることができる。【００２１】
上記画像表示制御装置において、前記制御部は、画像表示制御装置の起動時において選択されたモードを、次の起動時まで継続して実行してもよい。【００２２】
これにより、ユーザに違和感を与えない適切なタイミングで第１のモード及び第２のモードを切り換えることができる。【００２３】
上記画像表示制御装置において、前記制御部は、前記画像が固定的に表示される領域以外の領域に診断用の画像を表示させてもよい。【００２４】
上記画像表示制御装置において、前記画面上の特定の領域に固定的に表示される、輝度が低減される画像は、前記診断用の画像の周囲の領域に表示されてもよい。【００２５】
これにより、ユーザ（医師）が画像診断を行うときの視認性が向上する。【００２６】
上記画像表示制御装置において、前記制御部は、前記画面上に全体的に表示される画像を解析することによって、第１のモードと、第２のモードとで輝度が反転される、前記画面上の特定の領域に固定的に表示される画像の領域を判定してもよい。【００２７】
上記画像表示制御装置において、前記制御部は、複数の前記画面上で実行される各モードが同じモードとなるように、前記複数の画面上において、それぞれ、前記第１のモードと第２のモードとを切り換えてもよい。【００２８】
これにより、複数の画面上で実行されるモードが共通のモードとなるため、ユーザが複数の画面をモニタリングするときの視認性を向上させることができる。【００２９】
上記画像表示制御装置において、前記制御部は、前記複数の画面において、それぞれ、前記領域における劣化度を測定し、測定された各劣化度に基づいて、前記劣化度が最大である画面を判定し、前記劣化度が最大である画面でのモードの切り換えに合わせるように、他の画面のモードを切り換えてもよい。【００３０】
これにより、複数の画面において、それぞれ適切に焼きつきの問題を緩和することができる。【００３１】
上記画像表示制御装置において、前記制御部は、前記複数の画面上で実行される各モードでの輝度の低減のレベルが同じレベルとなるように、低減レベルを設定してもよい。【００３２】
これにより、複数の画面における輝度の低減レベル（つまり、明るさ）が共通となるため、ユーザが複数の画面をモニタリングするときの視認性を向上させることができる。【００３３】
本技術に係る画像表示システムは、表示部と、制御部とを具備する。
前記制御部は、前記表示部の特定の領域に固定的に表示される画像の輝度を反転せずに、前記画像の輝度を低減する第１のモードと、前記画像の輝度を反転し、反転された前記画像の輝度を低減する第２のモードとを切り換える。【００３４】
上記画像表示システムにおいて、前記表示部は、複数であってもよい。この場合、前記制御部は、複数の表示部で実行される各モードが同じモードとなるように、前記複数の表示部において、それぞれ、前記第１のモードと前記第２のモードとを切り換えてもよい。【００３５】
本技術に係る画像表示制御方法は、画面上の特定の領域に固定的に表示される画像の輝度を反転せずに、前記画像の輝度を低減する第１のモードと、前記画像の輝度を反転し、反転された前記画像の輝度を低減する第２のモードとを切り換えることを含む。
切り換えられたモードに応じて、前記画面上の前記領域に前記画像を表示させるように表示が制御される。【００３６】
本技術に係るプログラムは、画像表示制御装置に、画面上の特定の領域に固定的に表示される画像の輝度を反転せずに、前記画像の輝度を低減する第１のモードと、前記画像の輝度を反転し、反転された前記画像の輝度を低減する第２のモードとを切り換えるステップと、
切り換えられたモードに応じて、前記画面上の前記領域に前記画像を表示させるように表示を制御するステップと
を実行させる。
【発明の効果】
【００３７】
以上のように、本技術によれば、精度良く焼きつきによる問題を緩和することができる技術を提供することができる。
【図面の簡単な説明】
【００３８】
【図１】本技術の一実施形態に係る画像表示システムを示す図である。
【図２】本技術に係る処理が実行される前の画像の一例を示す図である。
【図３】メニューバー及びツールバーを示す拡大図である。
【図４】本技術の一実施形態に係る画像表示制御装置の処理を示すフローチャートである。
【図５】本技術の一実施形態に係る画像表示制御装置の処理を示すフローチャートである。
【図６】第１のモードが実行されたときに画面上に表示される画像の一例を示す図である。
【図７】第１のモードにおけるメニューバー及びツールバーの拡大図である。
【図８】第２のモードが実行されたときに画面上に表示される画像の一例を示す図である。
【図９】第２のモードにおけるメニューバー及びツールバーの拡大図である。
【図１０】画像の表示時間と、第１の部分についての第１の劣化度及び第２の部分についての第２の劣化度との関係を示す図である。
【図１１】どちらのモードを実行するかを決定するときの処理を示すフローチャートある。
【図１２】診断用の画像が見やすくなる理由を説明するための図である。
【図１３】本技術の他の実施形態に係る画像表示制御装置によって実行される処理を示すフローチャートである。
【発明を実施するための形態】
【００３９】
＜第１実施形態＞
以下、本技術に係る実施形態を、図面を参照しながら説明する。
【００４０】
［画像表示システム１０の全体構成及び各部の構成］
図１は、本技術に係る画像表示システム１０を示す図である。図１に示すように、本技術に係る画像表示システム１０は、画像表示制御装置９と、表示装置５（表示部５）とを備えている。画像表示制御装置９は、制御部１と、記憶部２と、入力部３と、通信部４と有する。
【００４１】
本技術の説明においては、一例として、画像表示制御装置９（画像表示システム１０）が、Ｘ線画像、ＣＴ画像、ＭＲＩ画像等の画像を表示させる画像表示制御装置（画像表示システム）として用いられる場合について説明する。すなわち、画像表示制御装置９（画像表示システム１０）が、画像診断に用いられる場合について説明する。
【００４２】
なお、本技術に係る画像表示制御装置９（画像表示システム１０）は、画像診断に用いられる場合に限られず、他の様々な用途にも用いることができる。典型的には、画面上の特定の領域に画像が固定的に表示されるような場合であれば、本技術に係る画像表示方法を適用可能である。
【００４３】
制御部１は、ＣＰＵ（Central Processing Unit）等により構成される。制御部１は、記憶部２に記憶された各種のプログラムに基づいて、種々の演算を実行する。典型的には、制御部１は、表示部５の画面上に表示される画像のうち、画面上に固定的に表示される画像の輝度を反転したり、画面上に固定的に表示される画像の輝度を低減したりする。制御部１の処理についての詳細は後述する。
【００４４】
記憶部２は、揮発性のメモリと、不揮発のメモリとを含む。揮発性のメモリは、例えば、ＲＡＭ（Random Access Memory）により構成される。揮発性のメモリは、制御部１の作業領域として用いられ、制御部１の処理に用いられるプログラムや、演算結果などを一時的に記憶する。
【００４５】
不揮発性のメモリは、例えば、ＨＤ（Hard Disc）、フラッシュメモリなどの半導体メモリ、或いは、これらの組み合わせにより構成される。不揮発性のメモリは、制御部１の処理に必要な各種のプログラムを記憶する。これらのプログラムは、光ディスク、半導体メモリ等の可搬性の記録媒体から読み取られてもよい。
【００４６】
また、不揮発性のメモリには、診断に用いられるＸ線画像等の画像１１（図２参照）が固定的に記憶される。画像データ１１は、画像表示制御装置９（画像表示システム１０）以外の装置、例えば、サーバ装置等に記憶されていてもよい。この場合、画像データ１１は、通信部４を介して画像表示制御装置９（画像表示システム１０）に取得される。
【００４７】
入力部３は、例えば、キーボードや、マウスなどを含む。入力部３は、ユーザからの各種の指示を入力し、制御部１へ出力する。通信部４は、他の装置へ情報を送信したり、他の装置から情報を受信したりする。
【００４８】
表示部５は、自発光型の発光素子がマトリクス状に配置された有機ＥＬディスプレイにより構成される。有機ＥＬディスプレイは、カラー表示型の有機ＥＬディスプレイであってもよいし、モノクロ表示型の有機ＥＬディスプレイであってもよい。
【００４９】
表示部５は、制御部１や記憶部２とは別体で形成されていてもよく（例えば、表示部５と、ＰＣ（Personal computer）とが別体である場合）、これらと一体的に形成されていてもよい（例えば、表示部一体型のＰＣ）。
【００５０】
表示部５は、制御部１の制御に応じて、例えば、Ｘ線画像、ＣＴ画像、ＭＲＩ画像等の診断に用いられる画像１１を画面上に表示する。この意味で、表示部５は、医師による画像診断（読影と呼ばれる）に用いられるディスプレイである。なお、有機ＥＬディスプレイは、高いコントラストを実現可能であるため、Ｘ線画像、ＣＴ画像、ＭＲＩ画像などの暗い画像を正確に表現することに優れている。
【００５１】
［本技術に係る処理が実行される前の画像の一例］
図２は、本技術に係る処理が実行される前の画像の一例を示す図である。図２に示される画像は、画面上の特定の領域に固定的に表示される画像の輝度が反転されてもいないし低減されてもいない。
【００５２】
図２に示す画像は、大別して、診断用の画像１１と、診断用の画像１１を囲む枠１４と、診断用の画像１１の上部に位置するメニューバー１２及びツールバー１３とを含む。
【００５３】
図２に示す画像は、表示部５の画面全体に亘って表示される場合が多い。すなわち、図２に示す画像は、フルスクリーンモードで表示される場合が多い。これは、画像診断（読影）においては、診断用の画像１１をなるべく大きく表示する必要があるためである。
【００５４】
図２に示す例では、画面上の左側の領域に、左右の乳房のうちの一方の乳房のＸ線画像１１ａが表示され、右側の領域に、他方の乳房のＸ線画像１１ｂが表示される場合の一例が示されている。図２において一例として示すＸ線画像１１は、乳房を側方から撮像した場合の画像である。医師は、これらの２つの乳房のＸ線画像１１を視認（読影）することによって、乳癌を早期に発見する。このような診断は、一般的に、マンモグラフィー診断と呼ばれる。
【００５５】
ここでの説明では、一例として、乳房のＸ線画像１１が画面上に表示される場合について説明するが、他の体の部分（骨、歯、臓器、血管等）のＸ線画像、ＣＴ画像、ＭＲＩ画像が画面上に表示されてもよい。
【００５６】
左側に表示されるＸ線画像１１ａと、右側に表示されるＸ線画像１１ｂとの間の境目には、境目を示すライン１５が縦方向に表示される。ここでの例では、ライン１５は、白とされている（つまり、輝度が高い）。図２に示す例では、Ｘ線画像１１を表示する領域が、左右で２分割されている場合の一例が示されているが、Ｘ線画像１１を表示する領域が上下左右で４分割される場合もある。
【００５７】
４分割の場合、２つの乳房を側方から撮像した２枚のＸ線画像１１と、２つの乳房を正面（或いは上方）から撮像した２枚のＸ線画像１１との合計で４枚のＸ線画像１１が画面上に表示される。この場合、Ｘ線画像１１の境目を示す縦方向のライン１５と、横方向のラインが画面上に表示される。また、６分割や、８分割、或いはそれ以上の分割数でＸ線画像１１が画面上に表示される場合もあり、この場合、分割数に応じて縦方向のライン１５や、横方向のラインが増加される。
【００５８】
図２では、画面上において、２枚のＸ線画像１１を囲む枠１４の画像が表示される。ここでの例では、枠１４は、白とされている（つまり、輝度が高い）。また、２枚のＸ線画像１１の上部には、メニューバー１２及びツールバー１３の画像が表示される。
【００５９】
図３は、メニューバー１２及びツールバー１３を示す拡大図である。図３に示すように、メニューバー１２は、白ベースであり、白ベース対して黒で「ファイル」、「編集」、「表示」等の文字が表示される。ツールバー１３もメニューバー１２と同様に、白ベースであり、白ベースに対して、黒で「開く」、「閉じる」、「全閉」等の文字が表示され、また、黒で、上記文字を連想させる図形が表示される。また、メニューバー１２とツールバー１３の間や、ツールバー１３内には、黒のラインが表示される。
【００６０】
上記したように、図２に示すような画像は、その性質上、フルスクリーンモードで表示される場合が多い。この場合、Ｘ線画像などの診断用の画像１１は、医師の診断が終われば、その都度切り換えられるが、メニューバー１２、ツールバー１３、枠１４、及び診断用の画像１１を区切るライン１５は、画面上の同じ位置に長時間表示され続けてしまう。
【００６１】
ＥＬディスプレイを構成する発光素子は、それぞれ経時的に劣化するといった特性を有しているため、同じ画像が長時間同じ位置に表示され続けると、いわゆる「焼きつき」の現象が発生してしまう。
【００６２】
メニューバー１２及びツールバー１３の部分について説明すると、白いベースの部分に対応する発光素子は、相対的に高い輝度で発光し続けることから劣化の進行速度が速い。一方で、黒で表示される文字や、図形、黒のラインなどの部分に対応する発光素子は、相対的に低い輝度で発光し続けることか劣化の進行速度が遅い。この劣化のバラつきに起因して焼きつきが生じてしまう。
【００６３】
メニューバー１２及びツールバー１３の白ベースの部分、白い枠１４の部分、診断用の画像１１を区切る白いライン１５の部分と、暗い診断用の画像１１の部分との関係について説明する。
【００６４】
メニューバー１２及びツールバー１３の白ベースの部分、白い枠１４の部分、診断用の画像１１を区切る白いライン１５の部分に対応する発光素子は、相対的に高い輝度で発光し続けることから劣化の進行速度が速い。一方で、診断用の画像１１は、順次切り換えられるものの、基本的には全体が暗い画像であるため、診断用の画像１１の部分に対応する発光素子は、劣化の進行速度が遅い。従って、劣化のバラつきに起因して焼きつきが生じてしまう（特に、白い枠１４、白いライン１５と、診断用画像との境界部分）。
【００６５】
この焼きつきを緩和するために、発光素子の劣化の進行状況に応じて輝度の補正をかける方法が採用される場合もある。しかし、発光素子は、劣化とともに色度が変化するため、輝度の補正をかけても色むらが発生する。特に、モノクロ表示型の有機ＥＬディスプレイの場合、この色むらが発生する可能性が高い。
【００６６】
そこで、本実施形態に係る画像表示制御装置９（画像表示システム１０）では、画面上に固定的に表示される画像の輝度を反転したり、輝度を低減したりすることによって、焼きつきや、色むらを緩和する処理を実行する。
【００６７】
［動作説明］
次に、本実施形態に係る画像表示制御装置９（画像表示システム１０）の処理について説明する。図４及び図５は、本実施形態に係る画像表示制御装置９の処理を示すフローチャートである。
【００６８】
本実施形態では、制御部１は、図４及び図５に示す処理を実行することによって、第１のモードと、第２のモードとを切り換える処理を実行する。第１のモードは、画面上の特定の領域に固定的に表示される画像の輝度を反転せずに、画像の輝度を低減するモードである。第２のモードは、画像の輝度を反転し、反転された画像の輝度を低減するモードである。
【００６９】
図６は、第１のモードが実行されたときに画面上に表示される画像の一例を示す図である。図７は、第１のモードにおけるメニューバー１２及びツールバー１３の拡大図である。
【００７０】
図８は、第２のモードが実行されたときに画面上に表示される画像の一例を示す図である。図９は、第２のモードにおけるメニューバー１２及びツールバー１３の拡大図である。
【００７１】
図６及び図７並びに図８及び図９に示す画像は、画面上の特定の領域に固定的に表示される画像の輝度が反転されたり、画像の輝度が低減されたりする点を除いて、図２及び図３に示す画像と同様である。すなわち、図６、図８に示す画像は、フルスクリーンモードで表示される。また、図６、図８に示す画像は、診断用の画像１１と、診断用の画像１１を囲む枠１４と、診断用の画像１１の上部に位置するメニューバー１２及びツールバー１３とを含む。
【００７２】
図６、図８に示す例では、画面上に固定的に表示される画像は、診断用の画像１１の上部に位置するメニューバー１２及びツールバー１３と、診断用の画像１１を囲む枠１４と、診断用の画像１１を区切るライン１５とを含む。
【００７３】
図４を参照して、画像表示制御装置９（画像表示システム１０）が起動されると、まず、制御部１は、画面上の領域のうち、輝度を反転したり、輝度を低減したりする領域を設定する（ステップ１０１）。輝度を反転したり、輝度を低減したりする領域とは、つまり、同じ画像が固定的に表示される画面上の領域である。
【００７４】
領域を設定する方法としては、２つの方法がある。１つ目の方法では、まず、オペレータが、準備作業として、同じ画像が固定的に表示される画面上の領域を手動によって入力することによって、この領域を記憶部２に予め記憶しておく。
【００７５】
例えば、オペレータは、図２に示す画像を表示部５に表示させた後、診断用の画像１１を囲む枠１４と、メニューバー１２及びツールバー１３と、診断用の画像１１を区切るライン１５とが表示されている位置を入力部３を介して指定する。なお、診断用の画像１１を区切るライン１５が複数ある場合には、その複数のライン１５が指定される。
【００７６】
これにより、同じ画像が固定的に表示される画面上の領域、つまり、画面上の領域のうち、輝度を低減したり、輝度を反転させたりする領域が予め記憶部２に記憶される。そして、制御部１は、起動時にこの領域を記憶部２から読み出すことによって、輝度を低減したり輝度を反転させたりする領域を設定する。
【００７７】
２つ目は、同じ画像が固定的に表示される画面上の領域を制御部１が、画像表示制御装置９（画像表示システム１０）の起動時に自動的に判断することによって、輝度を低減したり、輝度を反転させたりする領域を設定する方法である。この場合、制御部１は、例えば、図２に示すような画面上に全体的な画像を画像解析することによって、診断用の画像１１を囲む枠１４と、メニューバー１２及びツールバー１３と、診断用の画像１１を区切る１以上のライン１５とが表示されている位置を自動的に判定すればよい。
【００７８】
次に、制御部１は、第１のモード及び第２のモードのうち、どちらのモードを実行するかを決定し、モードを設定する（ステップ１０２）。どちらのモードを実行するかを制御部１がどのようにして決定するかについての詳細は、後述する。
【００７９】
どちらのモードが実行されるかは、画像表示制御装置９（画像表示システム１０）の起動時に制御部１によって決定され、決定されたモードは、次の起動時まで継続して実行される。つまり、第１のモードと第２のモードの切り換えタイミングは、画像表示制御装置９（画像表示システム１０）の起動時のうち何れかのタイミングとなり、画像表示制御装置９（画像表示システム１０）の起動後においては、第１のモードと第２のモードとは切り換えられない。
【００８０】
これにより、ユーザ（医師）に違和感を与えない適切なタイミングで第１のモード及び第２のモードを切り換えることができる。但し、画像表示制御装置９（画像表示システム１０）の起動後において、第１のモードと第２のモードとは切り換えることも可能である。
【００８１】
制御部１は、モードを設定すると、次に、記憶部２に記憶されている低減レベルを読み込んで低減レベルを設定する（ステップ１０３）。低減レベルとは、同じ画像が固定的に表示される画面上の領域において、どの程度輝度レベルを低減させるかを示す値である。低減レベルは、例えば、入力部３を介した入力によって予め記憶部２に記憶されている。低減レベルは、ユーザ（医師）による視認性を考慮して決定される。この低減レベルは、入力部３を介して変更可能であってもよい。
【００８２】
第１のモードにおける第１の低減レベルと、第２のモードにおける第２の低減レベルとは、典型的には、同じ値が用いられる。図６及び図７、並びに、図８及び図９は、第１の低減レベルと、第２の低減レベルとが同じ値である場合の一例である。
【００８３】
図５を参照して、次に、制御部１は、例えば、図２に示すような画像について、１画素分の画像データを入力する（ステップ１０４）。次に、制御部１は、その画素が、ステップ１０１において設定された領域内の画素であるか否かを判定する（ステップ１０５）。つまり、制御部１は、その画素が、同じ画像が固定的に表示される画面上の領域内の画素であるかどうかを判定する。
【００８４】
画素が上記領域内の画素である場合（ステップ１０５のＹＥＳ）、制御部１は、現在のモードが第１のモードであるかどうかを判定する（ステップ１０６）。
【００８５】
現在のモードが第１のモードである場合（ステップ１０６のＹＥＳ）、制御部１は、その画素について、輝度を反転させずに、輝度を低減させる処理を実行する（ステップ１０８）。ステップ１０８では、制御部１は、ステップ１０３において設定された低減レベルに応じてその画素の輝度を低減させる処理を実行する。
【００８６】
輝度を低減させるときの処理は、以下の式（１）によって表される。
【００８７】
ＬＶdwn-out＝低減レベル×ＬＶdwn-in・・・（１）
【００８８】
式（１）中、ＬＶdwn-outは、輝度を低減させて出力するときの輝度のレベルを表している。また、ＬＶdwn-inは、輝度を低減させるべき、輝度の入力値を表している。
【００８９】
制御部１は、輝度を反転させずに輝度を低減させると、次のステップ１０９へ進む。
【００９０】
ステップ１０６において、現在のモードが第１のモードでない場合（ステップ１０６のＮＯ）、つまり、現在のモードが第２のモードである場合、制御部１は、その画素の輝度を反転させる（ステップ１０７）。
【００９１】
輝度を反転させるときの処理は、以下の式（２）によって表される。
【００９２】
ＬＶrvs-out＝輝度の最大レベル−ＬＶrvs-in・・・（２）
【００９３】
式（２）中、ＬＶrvs-outは、輝度を反転させて出力するときの輝度のレベルを表している。また、輝度の最大レベルは、２５６階調の場合は、２５５である。また、ＬＶrvs-inは、輝度を反転させるべき、輝度の入力値を表している。
【００９４】
画素の輝度を反転させると、次に、制御部１は、その画素の輝度を上記式（１）を使用して低減させる（ステップ１０８）。
【００９５】
その画素の輝度を反転させ、かつ、輝度を低減させると、制御部１は、次のステップ１０９へ進む。
【００９６】
ステップ１０５において、その画素が同じ画像が固定的に表示される画面上の領域内の画素ではない場合（ステップ１０５のＮＯ）、制御部１は、輝度を反転したり、輝度を低減したりする処理を実行せずに、次のステップ１０９へ進む。例えば、診断用の画像１１が表示される位置に対応する画素は、上記領域内にはないと判定され、輝度を反転させたり、輝度を低減したりする処理が実行されない。
【００９７】
ステップ１０９では、制御部１は、劣化係数を画素毎にカウントする。劣化係数は、輝度が高いほど高い値を取る値である。劣化係数をカウントすることによって、制御部１は、第１のモードにおいて相対的に高い輝度で表示され、第２のモードにおいて相対的に低い輝度で表示される、上記領域内の第１の部分についての第１の劣化度を測定している。また、制御部１は、第１のモードにおいて相対的に低い輝度で表示され、第２のモードにおいて相対的に高い輝度で表示される、領域内の第２の部分についての第２の劣化度とを測定している。
【００９８】
図６、図８に示す例の場合、第１の部分は、メニューバー１２及びツールバー１３のベースの部分、枠１４の部分、診断用の画像１１を区切るライン１５の部分である。第２の部分は、メニューバー１２及びツールバー１３内における文字、図形、ライン等の部分である。
【００９９】
図１０には、画像の表示時間と、第１の部分についての第１の劣化度及び第２の部分についての第２の劣化度との関係が示されている。図１０において、第１の劣化度は、細線の一点差線で表され、第２の劣化度は、太線の一点鎖線で表されている。制御部１は、劣化係数をカウントすることによって、図１０に示すような第１の劣化度及び第２の劣化度を測定する。なお、劣化係数は、第１の劣化度及び第２の劣化度を示す直線の傾きに相当する。
【０１００】
測定された第１の劣化度及び第２の劣化度は、制御部１が第１のモード及び第２のモードのうち、どちらのモードを実行するかを決定するときに用いられる。
【０１０１】
なお、劣化度は、同じ画像が固定的に表示される画面上の領域に対応する画素（発光素子）の劣化度だけでなく、それ以外の領域（診断用画像１１が表示される領域）に対応する画素（発光素子）の劣化度も測定される（ステップ１０５のＮＯ→ステップ１０９参照）。この劣化度と、第１の劣化度及び第２の劣化度は、制御部１によって輝度の補正をかけるときに使用される。なお、これらの劣化度は、リフレッシュレート毎に測定（カウント）されており、測定された劣化度は記憶部２に記憶される。
【０１０２】
劣化係数をカウントすると、次に、制御部１は、その１画素分の画像データを出力する（ステップ１１０）。次に、制御部１は、１枚の画像データに含まれる全ての画素について、ステップ１０４〜ステップ１１０の処理が完了したかどうかを判定する（ステップ１１１）。処理が完了していない画素が残っている場合（ステップ１１１のＮＯ）、制御部１は、次の画素にステップを進め（ステップ１１２）、次の画素について、ステップ１０４〜１１０の処理を実行する。
【０１０３】
１枚の画像データに含まれる全ての画素について、ステップ１０４〜ステップ１１０の処理が完了した場合（ステップ１１１のＹＥＳ）、制御部１は、次の画像データにステップを進める（ステップ１１３）。そして、制御部１は、次の画像データについて、ステップ１０４〜ステップ１１１の処理を繰り返す。
【０１０４】
このような処理により、第１のモードでは、画面上に図６に示すような画像が表示される。また、第２のモードでは、画面上に図８に示すような画像が表示される。
【０１０５】
図６に示すように、第１のモードにおいては、図２に示す元の画像データに対して、同じ画像が固定的に表示される画面上の領域に対応する画素（発光素子）の輝度が低減されている。なお、第１のモードにおいては、図２に示す元の画像データに対して、輝度は反転されていない。
【０１０６】
具体的には、メニューバー１２及びツールバー１３のベースの部分、枠１４の部分、診断用の画像１１を区切るライン１５の部分の輝度が低減され、グレーに変更されている。なお、メニューバー１２及びツールバー１３内の文字、図形、ライン等の輝度も多少低減されているが、これらについては、図２における元の画像データにおいて元々暗い部分であるので、低減のレベルは視認することができない程度である。あるいは、元の画像データでの輝度がゼロである場合には、変化はない。
【０１０７】
図８に示すように、第２のモードにおいては、図２に示す元の画像データに対して、同じ画像が固定的に表示される画面上の領域に対応する画素（発光素子）の輝度が反転されており、反転された輝度が低減されている。
【０１０８】
具体的には、メニューバー１２及びツールバー１３のベースの部分、枠１４の部分、診断用の画像１１を区切るライン１５の部分の輝度が反転及び低減され、黒に変更されている。また、メニューバー１２及びツールバー１３内の文字、図形、ライン等の部分の輝度が反転及び低減され、グレーに変更されている。
【０１０９】
（第１のモード及び第２のモードの切り換え）
次に、制御部１が、起動時において、第１のモード及び第２のモードのうち、どちらのモードを実行するかを決定するときの処理について説明する。
【０１１０】
図１１は、どちらのモードを実行するかを決定するときの処理を示すフローチャートある。なお、図１１の説明においては、図１０も参照される。
【０１１１】
図１０には、図１１に示す処理によってモードが切り換えられたときの、第１の劣化度（細線の一点鎖線参照）と、第２の劣化度（太線の一点鎖線参照）の推移が示されている。なお、図１０には、第１の劣化度及び第２の劣化度の平均が実線で示されている。
【０１１２】
第１の劣化度は、例えば、メニューバー１２及びツールバー１３のベースの部分、枠１４の部分、診断用の画像１１を区切るライン１５の部分（第１の部分）の画素（発光素子）についての劣化度である。一方、第２の劣化度は、例えば、メニューバー１２及びツールバー１３内の文字、図形、ライン等の部分（第２の部分）の画素（発光素子）についての劣化度である。
【０１１３】
まず、制御部１は、起動時において、今回の起動が、本技術に係るプログラムがインストールされてから初回の起動であるかどうかを判定する（ステップ２０１）。初回の起動である場合、制御部１は、その起動時においては、第１のモード及び第２のモードのうち予め設定されたモードを設定する（ステップ２０２）。ここでの説明では、初回の起動時に第１のモードが設定されたとする。ステップ２０２において、モードを第１のモードに設定すると、制御部１は、処理を終了する。
【０１１４】
今回の起動が、初回の起動ではない場合（ステップ２０１のＮＯ）、制御部１は、第１の劣化度と第２の劣化度との差を算出し、この差の絶対値が閾値Ｔｈを超えるかどうかを判定する（ステップ２０３）。この閾値は、モードを切り換える周期を決定するパラメータである。つまり、閾値が小さければモードが切り換えられる周期は短くなり、一方で閾値が大きければモードが切り換えられる周期は長くなる。モードが切り換えられる周期は、１日周期、１週間周期、１ヶ月周期など様々な周期とすることができる（例えば、１日１０時間使用した場合）。
【０１１５】
第１の劣化度と第２の劣化度との差の絶対値が閾値Ｔｈ以下である場合（ステップ２０３のＮＯ）、制御部１は、今回のモードを、前回のモードと同じモードに設定する（ステップ２０６）。
【０１１６】
第１の劣化度と第２の劣化度との差の絶対値が閾値Ｔｈを超える場合（ステップ２０３のＹＥＳ）、制御部１は、次のステップ２０４へ進む。なお、第１の劣化度と第２の劣化度との差の絶対値が閾値Ｔｈを超えることで、モードが切り換え可能な状態となる。ステップ２０４では、制御部１は、前回のモード切り換え時から現在までの間に、第１の劣化度と第２の劣化度とが逆転しているかどうかを判定する。
【０１１７】
前回のモード切り換え時から現在までの間に、第１の劣化度と第２の劣化度とが逆転していない場合（ステップ２０４のＮＯ）、制御部１は、今回のモードを、前回のモードと同じモードに設定する（ステップ２０６）。
【０１１８】
一方、前回のモード切り換え時から現在までの間に、第１の劣化度と第２の劣化度とが逆転している場合（ステップ２０４のＹＥＳ）、今回のモードを、前回のモードとは異なるモードに設定する（ステップ２０５）。なお、初回に設定されたモードが未だ他のモードに切り換えられていない場合には、制御部１は、ステップ２０３の結果が肯定的であれば、ステップ２０４の処理を実行せずに、ステップ２０５へ進む。そして、制御部１は、初回に設定されたモードを他のモードに切り換える。
【０１１９】
図１０を参照して、初回の起動時においては、第１のモードが設定される。従って、初回起動後は、図６に示すような画像が画面上に表示される。画面上に画像が表示されている間は、図５に示すような処理によって、第１の劣化度と、第２の劣化度が測定される。
【０１２０】
第２回目、第３回目の起動時においては、第１の劣化度と第２の劣化度との差の絶対値が閾値Ｔｈを超えていない。従って、第２回目、第３回目の起動時においては、前回のモード（第１のモード）と同じモードが設定される。
【０１２１】
第４回目の起動時においては、初回に設定されたモードが未だ他のモードに切り換えられておらず、かつ、第１の劣化度と第２の劣化度との差の絶対値が閾値Ｔｈを超えているため、初回に設定された第１のモードが第２のモードへ切り換えられる。従って、第４回目の起動後は、図８に示すような画像が画面上に表示される。第１のモードと、第２のモードとでは、輝度が反転されることから、第１の劣化度及び第２の劣化度の傾きが逆になる。
【０１２２】
第５回目〜第７回目の起動時においては、第１の劣化度と第２の劣化度との差の絶対値が閾値Ｔｈを超えていない。また、第５回目〜第７回目の起動時においては、前回のモード切り換え時から現在までの間に、第１の劣化度と第２の劣化度とが逆転してもいない。従って、第５回目〜第７回目の起動時においては、前回のモードが参照されて、前回のモードと同じ第２のモードが設定される。
【０１２３】
第８回目〜第９回目の起動時においては、前回のモード切り換え時から現在までの間に、第１の劣化度と第２の劣化度とが逆転しているものの、第１の劣化度と第２の劣化度との差の絶対値が閾値Ｔｈを超えていない。従って、第８回目〜第９回目の起動時においては、前回のモードが参照されて、前回のモードと同じ第２のモードが設定される。
【０１２４】
第１０回目の起動時においては、第１の劣化度と第２の劣化度との差の絶対値が閾値Ｔｈを超えている。また、第１０回目の起動時においては、前回のモード切り換え時から現在までの間に、第１の劣化度と第２の劣化度とが逆転している。従って、第１０回目の起動時においては、前回のモードが切り換えられて、第１のモードが設定される。
【０１２５】
このように、第１の劣化度と、第２の劣化度とに基づいて、モードを切り換えることによって、適切なタイムミングでモードを切り換えることが可能となる。
【０１２６】
［作用等］
以上説明したように、本実施形態では、第１のモードと第２のモードとでは、画面上の特定の領域に固定的に表示される画像の輝度が反転される。これにより、相対的に高い輝度で表示される部分と、相対的に低い輝度で表示される部分とを第１のモード及び第２のモードで反転することができる。従って、画像が固定的に表示される領域内における発光素子の劣化の進行速度を均一化することができるため（図９参照）、例えば、焼きつきや、色むらによる問題を緩和することができる。
【０１２７】
さらに、本実施形態では、第１のモード及び第２のモードの両方のモードにおいて、画面上の特定の領域に固定的に表示される画像の輝度が低減される。これにより、相対的に高い輝度で表示される部分と、相対的に低い輝度で表示される部分との間で劣化の進行速度の差を小さくすることができる。従って、更に精度良く焼きつきや、色むらによる問題を緩和することができる。また、画面上の特定の領域に固定的に表示される画像の輝度が低減されるため、発光素子の劣化の進行速度を低くすることができる。
【０１２８】
さらに、本実施形態では、メニューバー１２や、ツールバー１３、枠１４などの、診断用の画像１１の周囲に表示される画像の輝度が低減される。このように、診断用の画像１１の周囲に位置する画像の輝度が低減されるため、診断用の画像１１が見やすくなるといった効果もある。以降では、これについて説明する。
【０１２９】
図１２は、診断用の画像１１が見やすくなる理由を説明するための図である。図１２の上側の図面では、高輝度の部分に取り囲まれた黒い円が表されている。黒い円の内部には、グレーの５つの円が存在している。図１２の上の図から分かるように、黒い円の内部に存在するグレーの５つの円は、非常に見分けにくい。これは、低輝度領域において差を見分けるためには、瞳孔を開く必要があるのに対して、黒い円の周囲に存在する高輝度の部分によって瞳孔が開いてしまうためである。
【０１３０】
図１２の下側の図においては、図１２の上側の図面と同じ位置に同じ輝度の５つのグレーの円が存在している。図１２の下側の図においては、周囲が低輝度であるため、瞳孔を開いた状態で視認可能である。従って、図１２の下側の図では、図１２の上の図に比べて、グレーの５つの円を見分けやすい。
【０１３１】
図１２の上側の図面は、図２に示す画像に対応している。一方、図１２の下側の図面は、図６及び図８に示す画像に対応している。つまり、本実施形態では、メニューバー１２、ツールバー１３、枠１４などの、診断用画像の周囲に存在する画像の輝度が低減されているため、ユーザ（医師）が画像診断を行うとき、診断用画像における低輝度領域の差を見分け易い。これは、診断の精度の向上に繋がる。
【０１３２】
＜第２実施形態＞
次に、本技術の第２実施形態について説明する。なお、第２実施形態の説明では、上述の第１実施形態と同様の構成及び機能を有する部分については、同一符号を付し、説明を省略又は簡略化する。
【０１３３】
第２実施形態では、表示部５の数が２以上の場合が想定される。このような場合、ある特定の表示部５で実行されるモードが、他の表示部５で実行されるモードと異なると、視認性が悪化する恐れがある。例えば、或る特定の表示部５では、図６に示す画像が表示されており、他の表示部５において、図８に示す画像が表示されていると、視認性が悪化する恐れがある。
【０１３４】
そこで、第２実施形態では、制御部１は、２以上の表示部５で実行される各モードが同じモードとなるように、２以上の表示部５において、それぞれ、第１のモードと第２のモードとを切り換える処理を実行する。
【０１３５】
図１３は、第２実施形態に係る画像表示制御装置９（画像表示システム１０）によって実行される処理を示すフローチャートである。
【０１３６】
まず、制御部１は、表示部５の個数を判定する（ステップ３０１）。表示部５の個数は、２つ、３つ、あるいは、それ以上である場合がある。
【０１３７】
次に、制御部１は、各表示部５について、それぞれ、輝度を反転したり輝度を低減したりする領域（つまり、同じ画像が画面上に固定的に表示される領域）を設定する（ステップ３０２）。この領域の設定方法については、上述の第１実施形態と同様である。なお、各表示部５で異なる画像が表示される場合もある。従って、上記領域が各表示部５で異なる場合もある。
【０１３８】
次に、制御部１は、第１のモード及び第２のモードのうちどちらのモードを実行するかを決定し、モードを設定する（ステップ３０３）。各表示部５において設定されるモードは、共通とされる。これにより、ユーザ（医師）が２以上の表示部５をモニタリングするときの視認性を向上させることができる。
【０１３９】
なお、ステップ３０３においては、制御部１は、劣化度が最大である表示部５を判定し、劣化度が最大である表示部５でのモードの切り換えに合わせるように、他の表示部５のモードを切り換えてもよい。
【０１４０】
すなわち、制御部１は、２以上の表示部５について、それぞれ、同じ画像が画面上に固定的に表示される領域における画素（発光素子）の劣化度を測定する。なお、ここでの劣化度としては、例えば、図１０に示す第１の劣化度及び第２の劣化度の平均値が用いられる。そして、制御部１は、測定された各劣化度に基づいて、劣化度が最大である表示部５を判定する。
【０１４１】
その後、制御部１は、劣化度が最大である表示部５でのモードの切り換えに合わせるように、他の表示部５のモードを切り換える。劣化度が最大である表示部５におけるモードの切り換え方法については、上述の第１実施形態と同様である（図１０、１１参照）。
【０１４２】
ここで、２以上の表示部５の使用の開始が同時である場合については、その２以上の表示部５の各画素（発光素子）の劣化度は略同じであると考えられる。一方、ある表示部５が既に使用されており、その後に、他の表示部５（新品である場合が多い）が増設される場合もある。このような場合、劣化度が最大である表示部５でのモードの切り換えに合わせる方法が採用されると有効である。
【０１４３】
つまり、劣化度が最大である表示部５のモードの切り換えに他の表示部５のモードの切り換えを合わせることで、劣化度が最大である表示部５の焼きつきや、色むらが緩和される。後から増設された新たな表示部５については、劣化度が最大である表示部５のモードの切り換えに応じてモードが切り換えられたとしても、モードの切り換え周期は、基本的に一定であるため、焼きつきや色むらの問題なく適切にモードの切り換えが可能である。
【０１４４】
モードを設定すると、次に、制御部１は、２以上の表示部５で実行される各モードでの輝度の低減のレベルが同じレベルとなるように、低減レベルを設定する。これにより、２以上の表示部５での輝度の低減レベル（つまり、明るさ）が共通となるため、ユーザ（医師）が２以上の表示部５をモニタリングするときの視認性を向上させることができる。
【０１４５】
なお、劣化度が最大である表示部５における輝度の低減レベルに合わせるように、他の表示部５における輝度の低減レベルを設定してもよい。
【０１４６】
低減レベルを設定すると、制御部１は、図５に示す処理を各表示部５について実行する。
【０１４７】
＜各種変形例＞
【０１４８】
上述の説明では、第１の劣化度及び第２の劣化度に基づいて、第１のモードと第２のモードとを切り換える場合について説明したが、時間に基づいて第１のモードと第２のモードと切り換える処理が実行されてもよい。この場合、画面上に画像が表示されている時間が所定の時間に達したときに一方のモードが他のモードに切り換えられる。
【０１４９】
上述の説明では、第１のモードにおける第１の低減レベルと、第２のモードにおける第２の低減レベルとが同じ場合について説明したが、第１の低減レベルと、第２の低減レベルとは異なっていてもよい。例えば、図７に示すようなグレーのベース上に黒の文字や図形が表示されている場合の方が、図９に示すような黒のベースにグレーの文字や図形が表示されている場合に比べて視認性がよい。従って、第１の低減レベルを第２の低減レベルよりも大きくすることが考えられる。
【０１５０】
本技術は、以下の構成をとることもできる。
（１）  前記画面上の特定の領域に固定的に表示される画像の輝度を反転せずに、前記画像の輝度を低減する第１のモードと、前記画像の輝度を反転し、反転された前記画像の輝度を低減する第２のモードとを切り換え、かつ、切り換えられたモードに応じて、前記画面上の前記領域に前記画像を表示させるように表示を制御する制御部
を具備する画像表示制御装置。
（２）  上記（１）に記載の画像表示制御装置であって、
前記制御部は、前記第１のモードにおいて相対的に高い輝度で表示され、前記第２のモードにおいて相対的に低い輝度で表示される、前記領域内の第１の部分についての第１の劣化度と、前記第１のモードにおいて相対的に低い輝度で表示され、前記第２のモードにおいて相対的に高い輝度で表示される、前記領域内の第２の部分についての第２の劣化度とを測定し、測定された前記第１の劣化度及び前記第２の劣化度に基づいて、前記第１のモード及び前記第２のモードを切り換える
画像表示制御装置。
（３）  上記（２）に記載の画像表示制御装置であって、
前記制御部は、前記第１の劣化度と、前記第２の劣化度との差を算出し、前記差が所定の閾値を超えたときに、前記第１のモード及び前記第２のモードを切り換え可能な状態とする
画像表示制御装置。
（４）  上記（２）又は（３）に記載の画像表示制御装置であって、
前記制御部は、輝度が高いほど高い値を取る値である劣化係数に基づいて前記第１の劣化度及び前記第２の劣化度を測定する
画像表示制御装置。
（５）  上記（１）乃至（４）のうちいずれか１つに記載の画像表示制御装置であって、
前記制御部は、前記画像表示制御装置の起動時に、前記第１のモード及び前記第２のモードのうち、どちらのモードを実行するかを決定することによって、前記第１のモード及び前記第２のモードを切り換える
画像表示制御装置。
（６）  上記（５）に記載の画像表示制御装置であって、
前記制御部は、前記画像表示制御装置の起動時において決定されたモードを、次の起動時まで継続して実行する
画像表示制御装置。
（７）  上記（１）乃至（６）のうち何れか１つに記載の画像表示制御装置であって、
前記制御部は、前記画像が固定的に表示される領域以外の領域に診断用の画像を表示させる
画像表示制御装置。
（８）  上記（７）に記載の画像表示制御装置であって、
前記画面上の特定の領域に固定的に表示される、輝度が低減される画像は、前記診断用の画像の周囲の領域に表示される
画像表示制御装置。
（９）  請求項（１）乃至（８）のうち何れか１つに記載の画像表示制御装置であって、
前記制御部は、前記画面上に全体的に表示される画像を解析することによって、第１のモードと、第２のモードとで輝度が反転される、前記画面上の特定の領域に固定的に表示される画像の領域を判定する
画像表示制御装置。
（１０）  上記（１）乃至（９）のうちいずれか１つに記載の画像表示制御装置であって、
前記制御部は、複数の前記画面上で実行される各モードが同じモードとなるように、前記複数の画面上において、それぞれ、前記第１のモードと第２のモードとを切り換える
画像表示制御装置。
（１１）  上記（１０）に記載の画像表示制御装置であって、
前記制御部は、前記複数の画面において、それぞれ、前記領域における劣化度を測定し、測定された各劣化度に基づいて、前記劣化度が最大である画面を判定し、前記劣化度が最大である画面でのモードの切り換えに合わせるように、他の画面のモードを切り換える
画像表示制御装置。
（１２）  上記（１０）又は（１１）に記載の画像表示制御装置であって、
前記制御部は、前記複数の画面上で実行される各モードでの輝度の低減のレベルが同じレベルとなるように、低減レベルを設定する
画像表示制御装置。
（１３）  表示部と、
前記表示部の特定の領域に固定的に表示される画像の輝度を反転せずに、前記画像の輝度を低減する第１のモードと、前記画像の輝度を反転し、反転された前記画像の輝度を低減する第２のモードとを切り換える制御部と
を具備する画像表示システム。
（１４）  上記（１３）に記載の画像表示システムであって、
前記表示部は、複数であり、
前記制御部は、複数の表示部で実行される各モードが同じモードとなるように、前記複数の表示部において、それぞれ、前記第１のモードと前記第２のモードとを切り換える
画像表示システム。
（１５）  画面上の特定の領域に固定的に表示される画像の輝度を反転せずに、前記画像の輝度を低減する第１のモードと、前記画像の輝度を反転し、反転された前記画像の輝度を低減する第２のモードとを切り換え、
切り換えられたモードに応じて、前記画面上の前記領域に前記画像を表示させるように表示を制御する
画像表示制御方法。
（１４）  画像表示制御装置に、
画面上の特定の領域に固定的に表示される画像の輝度を反転せずに、前記画像の輝度を低減する第１のモードと、前記画像の輝度を反転し、反転された前記画像の輝度を低減する第２のモードとを切り換えるステップと、
切り換えられたモードに応じて、前記画面上の前記領域に前記画像を表示させるように表示を制御するステップと
を実行させるプログラム。
【符号の説明】
【０１５１】
１…制御部
２…記憶部
３…入力部
４…通信部
５…表示部
９…画像表示制御装置
１０…画像表示システム
１１…診断用画像（Ｘ線画像）
１２…メニューバー
１３…ツールバー
１４…枠
１５…ライン
【図１】
2014203438.tif 000003
【図３】
2014203438.tif 000004
【図４】
2014203438.tif 000005
【図５】
2014203438.tif 000006
【図１０】
2014203438.tif 000007
【図１１】
2014203438.tif 000008
【図１３】
2014203438.tif 000009
【図２】
2014203438.tif 000010
【図６】
2014203438.tif 000011
【図７】
2014203438.tif 000012
【図８】
2014203438.tif 000013
【図９】
2014203438.tif 000014
【図１２】
2014203438.tif 000015
【国際調査報告】
2014203438.tif 000016
2014203438.tif 000017
2014203438.tif 000018
2014203438.tif 000019